(57)【要約】【課題】フラット屋根とトップライトとが取り合う部分やトップライト上面に、雨水等の水が滞留するのを防止してフラット屋根に容易にトップライトを取付けることができるトップライトの取付構造を提供する【解決手段】フラット屋根１に、上部が水平面に対して傾斜している取付枠２が前記フラット屋根１から上方に突出するようにして固定されており、取付枠２の上部に、前記トップライト１０が取付けられているので、トップライト１０は水平面に対して傾斜することになる。よって、トップライト１０の上面や、トップライト１０と取付枠２とが取り合う部分に雨水等の水が滞留するのを防止できる。また、取付枠２の上部が傾斜しているので、傾斜した屋根にトップライトを取付ける場合と同様にして、フラット屋根１に容易にトップライト１０を取付けることができる。【選択図】        図１
2004332433.tif 000002
【特許請求の範囲】
【請求項１】
略水平なフラット屋根にトップライトを取付けたトップライトの取付構造であって、
前記フラット屋根に、上部が水平面に対して傾斜している取付枠が前記フラット屋根から上方に突出するようにして固定されており、
前記取付枠の上部に、前記トップライトが取付けられていることを特徴とするトップライトの取付構造。
【請求項２】
請求項１に記載のトップライトの取付構造において、
前記トップライトは、透光性を有する透光面材と、この透光面材が固定される面材固定枠とを備え、
この面材固定枠が、前記取付枠の上部に取付けられていることを特徴とするトップライトの取付構造。
【請求項３】
請求項２に記載のトップライトの取付構造において、
前記取付枠の内側には、フラット屋根より下方にある天井から立ちあがって、トップライトからの光を天井より下方に導く導入筒がその上端を前記取付枠の上端より低くして設けられており、
前記トップライトの面材固定枠は、前記取付枠の内側に挿入されるとともに、前記導入筒の上端面に当接されていることを特徴とするトップライトの取付構造。
【請求項４】
請求項３に記載のトップライトの取付構造において、
前記面材固定枠は、前記取付枠の上端面に固定金具を介して固定されていることを特徴とするトップライトの取付構造。
【請求項５】
請求項３または４に記載のトップライトの取付構造において、
前記導入筒が矩形筒状をなしており、
前記天井の下方にある間仕切壁の表面と、前記導入筒の一つの内面とが面一となっていることを特徴とするトップライトの取付構造。
【発明の詳細な説明】
【０００１】
【発明の属する技術分野】
本発明は、住宅等の建物において屋根から光を取り入れるトップライトをフラット屋根に取付けるトップライトの取付構造に関する。
【０００２】
【背景の技術】
近年、住宅のニーズが多様化したことに伴い、屋根から直接室内に採光するトップライトを設けた建物が増加している。従来、このような建物におけるトップライトは、屋根面の勾配に対して平行になるようにして設置されている（例えば、特許文献１参照。）。
【０００３】
【特許文献１】
特開平１０−３１１０９２号公報
【０００４】
【発明が解決しようとする課題】
このように従来のトップライトは、屋根面の勾配に対して平行になるように設置しているので、屋根面がほぼ水平なフラット屋根に、トップライトをそのまま設置すると、トップライトが屋根面と平行、すなわち水平となるので、屋根面とトップライトとが取り合う部分や、トップライト上面に、雨水等の水が滞留し易く防水上あまり好ましくなくないという課題があった。
そこで、フラット屋根にトップライトを取付ける場合、トップライトを水平面に対して傾斜させて取り付けることも考えれられるが、この場合、トップライトを水平面に対して傾斜して設置できるように改造する必要があり、手間と労力を要する。
【０００５】
本発明は、上記事情に鑑みてなされたもので、フラット屋根とトップライトとが取り合う部分やトップライト上面に、雨水等の水が滞留するのを防止して、フラット屋根に容易にトップライトを取付けることができるトップライトの取付構造を提供することを課題としている。
【０００６】
【課題を解決するための手段】
上記課題を解決するために、請求項１に記載の発明は、例えば図１〜図５に示すように、略水平なフラット屋根１にトップライト１０を取付けたトップライトの取付構造であって、
前記フラット屋根１に、上部が水平面に対して傾斜している取付枠２が前記フラット屋根１から上方に突出するようにして固定されており、
前記取付枠２の上部に、前記トップライト１０が取付けられていることを特徴とする。
【０００７】
請求項１に記載の発明によれば、フラット屋根１に突出するようにして固定された取付枠２の上部が水平面に対して傾斜しており、この傾斜した部分にトップライト１０が取付けられているので、トップライト１０は水平面に対して傾斜することになる。よって、トップライト１０の上面や、トップライト１０と取付枠２とが取り合う部分に雨水等の水が滞留するのを防止できる。
また、取付枠２の上部が傾斜しているので、傾斜した屋根にトップライトを取付ける場合と同様にして、フラット屋根１に容易にトップライト１０を取付けることができる。
【０００８】
請求項２に記載の発明は、請求項１に記載のトップライトの取付構造において、
前記トップライト１０は、透光性を有する透光面材１１と、この透光面材１１が固定される面材固定枠１２とを備え、
この面材固定枠１２が、前記取付枠２の上部に取付けられていることを特徴とする。
【０００９】
請求項２に記載の発明によれば、透光面材１１が面材固定枠１２に固定されているので、透光面材１１を面材固定枠１２で補強でき、この面材固定枠１２が取付枠２の上部に取付けられているので、トップライト１０を容易かつ確実に取付枠２に固定できる。
【００１０】
請求項３に記載の発明は、請求項２に記載のトップライトの取付構造において、
前記取付枠２の内側には、フラット屋根１より下方にある天井１６から立ちあがって、トップライト１０からの光を天井１６より下方に導く導入筒１５がその上端を前記取付枠２の上端より低くして設けられており、
前記トップライト１０の面材固定枠１２は、前記取付枠２の内側に挿入されるとともに、前記導入筒１５の上端面に当接されていることを特徴とする。
【００１１】
請求項３に記載の発明によれば、トップライト１０からの光を天井１６より下方に導く導入筒１５が設けられているので、この導入筒１５によって天井１６より下方の部屋等の空間に確実に採光できる。
また、取付枠２の内側に面材固定枠１２が挿入されているので、トップライト１０の面方向における位置決めを容易かつ確実にでき、さらに、導入筒１５の上端面に面材固定枠１２が当接されているので、トップライト１０の面方向と交差する方向に位置決めを容易かつ確実にできる。
【００１２】
請求項４に記載の発明は、請求項３に記載のトップライトの取付構造において、
前記面材固定枠１２は、前記取付枠２の上端面に固定金具１８を介して固定されていることを特徴とする。
【００１３】
請求項４に記載の発明によれば、取付枠２に位置決めされた面材固定枠１２が、取付枠２の上端面に固定金具１８を介して固定されているので、トップライト１０を容易かつ確実に取付枠２に取付けることができる。
【００１４】
請求項５に記載の発明は、請求項３または４に記載のトップライトの取付構造において、
前記導入筒１５が矩形筒状をなしており、
前記天井１６の下方にある間仕切壁２０の表面２０ａと、前記導入筒１５の一つの内面１５ａとが面一となっていることを特徴とする。
【００１５】
請求項５に記載の発明によれば、間仕切壁２０の表面２０ａと、導入筒１５の一つの内面１５ａとが面一になっているので、間仕切壁２０を基準として導入筒１５の位置決めを容易にでき、この導入筒１５によって、トップライト１０の位置決めを容易に行える。
また、間仕切壁２０の表面２０ａと、導入筒１５の一つの内面１５ａとが面一であるので、間仕切壁２０の表面２０ａからトップライト１０まで導入筒１５の内面１５ａが真直ぐに立ち上がり、段が生じないので、トップライト１０から光を直線的に容易に採光できるとともに、部屋等の空間からトップライト１０を見上げた際の見映えもよい。
【００１６】
【発明の実施の形態】
以下、図１〜図５を参照して本発明の実施の形態について説明する。
図１〜図５において符号１はフラット屋根を示す。このフラット屋根１は略水平に設けられたＡＬＣ板で形成されており、図４に示すように、建物ユニットを構成する鉄骨Ｔに、Ｌ形のアングル材１ａを介して固定されている。
【００１７】
フラット屋根１の所定の部位には、平面視矩形状の開口がフラット屋根１を貫通するようにして形成されており、この開口に取付枠２がその上部をフラット屋根１から突出するようにして挿入され、さらに、この取付枠２の下端面は、建物ユニットを構成する鉄骨Ｔに当接されている。これによって、取付枠２は鉄骨Ｔによって下方から支持されている。
前記取付枠２は、略四角筒状のものであり、その上部は水平面に対して傾斜している。また、取付枠２は３層構造となっており、最外周部は、外装材３で形成され、この外装材３の内側には発泡体で形成され、断熱性や防水性を有する断熱板４が設けられ、この断熱板４の内側には、グラスウールで形成された断熱材５が設けられている。
また、外装材３の表面には、塩化ビニール製の防水シート６が貼着されている。この防水シート６は、フラット屋根１の開口周縁部から外装材３の表面に沿って立ち上がり、外装材３の上端まで延出している。この防水シート６によってフラット屋根１の開口内周面と、外装材３の表面との間の隙間からの水の侵入を防止している。
【００１８】
また、外装材３の上端部には、図２および図３に示すように、塩ビ鋼板７が貼着されており、この塩ビ鋼板７上に防水シート６の上端部が貼着されている。さらに、防水シート６の上端部には、ブチルシート（防水テープ）８が貼着されている。このブチルシート８は、外装材３の上端部から延出して取付枠２の上端面に沿い、さらに、後述するトップライト１０の側面まで延出している。
【００１９】
取付枠２には、トップライト１０が取付けられている。すなわち、トップライト１０は、透光性を有する透光面材１１と、この透光面材１１が固定される面材固定枠１２とを備えている。透光面材１１は例えば長方形状のガラス板であり、面材固定枠１２の内側にはめ込まれたうえで、枠材１３等によって面材固定枠１２に固定されている。面材固定枠１２は四角筒状をなすものであり、透光面材１１は面材固定枠１２の軸と直交するようにして、つまり面材固定枠１２と平行になるようにして該面材固定枠１２に固定されている。
【００２０】
また、取付枠２の内側には、導入筒１５が設けられている。この導入筒１５はトップライト１０からの光を、天井１６より下方に導くものであり、略四角筒状をなしている。また、導入筒１５は、天井１６に形成された開口から上方に立ち上がり、上端は取付枠２の上端より低くなっている。さらに、導入筒１５の上部は水平面に対して傾斜しており、この傾斜方向と傾斜角は取付枠２の上部の傾斜と等しく設定されている。
そして、前記トップライト１０の面材固定枠１２は、取付枠２の内側に挿入されるとともに、導入筒１５の上端面に当接されている。
【００２１】
また、面材固定枠１２は取付枠２の上端面に固定金具１８を介して固定されている。すなわち、図４および図５に示すように、固定金具１８は断面Ｌ字状をなしており、その一片部は取付枠２の上端部に設けれられた枠材２ａに当接されたうえで、ビス１８ａによって固定され、他片部は面材固定枠１２に当接されたうえで、図示しないビス等によって固定されている。
【００２２】
さらに、取付枠２の互いに対向している外装材３の上端部から延出しているブチルシート８は取付枠２の上端面、固定金具１８上に沿い、さらに、面材固定枠１２の側面まで延出して固定されている。同様に図１〜図３に示すように、取付枠２の互いに対向しえいる他の外装材３の上端部から延出しているブチルシート８は、取付枠２の上端面、Ｌアングル１９上に沿い、さらに、面材固定枠１２の側面まで延出して固定されている。なお、Ｌアングル１９は、取付枠２の上端部に設けられた防腐合板２ｂと面材固定枠１２との間に設けられたもので、水平面に対して傾斜している。このＬアングル１９上にブチルシート８を沿わすことによって、ブチルシート８を面材固定枠１２の上端部の傾斜に沿わせて配置できる。
【００２３】
また、図１に示すように、天井１６の下方には、間仕切壁２０が配置されており、この間仕切壁２０の表面２０ａと、導入筒１５の一つの内面１５ａとは面一になっている。
このように、間仕切壁２０の表面２０ａと、導入筒１５の一つの内面１５ａとが面一になっているので、間仕切壁２０を基準として導入筒１５の位置決めを容易にでき、この導入筒１５によって、トップライト１０の位置決めを容易に行える。
また、間仕切壁２０の表面２０ａと、導入筒１５の一つの内面１５ａとが面一であるので、間仕切壁２０の表面２０ａからトップライト１０まで導入筒１５の内面１５ａが真直ぐに立ち上がり、段が生じないので、トップライト１０から光を直線的に容易に採光できるとともに、部屋等の空間からトップライト１０を見上げた際の見映えもよい。
【００２４】
また、本実施の形態によれば、フラット屋根１に突出するようにして固定された取付枠２の上部が水平面に対して傾斜しており、この傾斜した部分にトップライト１０が取付けられているので、トップライト１０は水平面に対して傾斜することになる。よって、トップライト１０の透光面材１１や、トップライト１０の面材固定枠１２と取付枠２とが取り合う部分に雨水等の水が滞留するのを防止できる。
さらに、取付枠２の上面が傾斜しているので、傾斜した屋根面にトップライトを取付ける場合と同様にして、フラット屋根１に容易にトップライト１０を取付けることができる。
【００２５】
また、透光面材１１が面材固定枠１２に固定されているので、透光面材１１を面材固定枠１２で補強でき、この面材固定枠１２が取付枠２の上部に取付けられているので、トップライト１０を容易かつ確実に取付枠２に固定できる。
加えて、導入筒１５が設けられているので、この導入筒１５によって天井１６より下方の部屋等の空間に確実に採光できる。
また、取付枠２の内側に面材固定枠１２が挿入されているので、トップライト１０の面方向における位置決めを容易かつ確実にでき、さらに、導入筒１５の上端面に面材固定枠１２が当接されているので、トップライト１０の面方向と交差する方向に位置決めを容易かつ確実にできる。
また、取付枠２に位置決めされた面材固定枠１２が、取付枠２の上端面に固定金具１８を介して固定されているので、トップライト１０を容易かつ確実に取付枠２に取付けることができる。
【００２６】
なお、本実施の形態では、建物ユニットに支持された、ＡＬＣ板からなるフラット屋根１にトップライト１０を取付ける場合を例にとって説明したが、本発明はこれに限ることなく、建物の構造は、在来の軸組み、ツーバイフォー、パネル工法など何でもよく、また、屋根としては水平面と略平行なフラット屋根であればどのような形式や構造の屋根にでも適用できる。
また、本実施の形態では、トップライトは固定式としたが、トップライトの透光面材が開閉する開閉式のトップライトにも適用してもよい。
【００２７】
【発明の効果】
以上説明したように、請求項１に記載の発明によれば、フラット屋根に突出するようにして固定された取付枠の傾斜した部分にトップライトが取付けられているので、トップライトの上面や、トップライトと取付枠とが取り合う部分に雨水等の水が滞留するのを防止できる。
また、取付枠の上部が傾斜しているので、傾斜した屋根にトップライトを取付ける場合と同様にして、フラット屋根に容易にトップライトを取付けることができる。
【００２８】
請求項２に記載の発明によれば、透光面材を面材固定枠で補強でき、この面材固定枠が取付枠の上部に取付けられているので、トップライトを容易かつ確実に取付枠に固定できる。
【００２９】
請求項３に記載の発明によれば、導入筒によって天井より下方の部屋等の空間に確実に採光できる。
また、取付枠の内側に面材固定枠が挿入されており、導入筒の上端面に面材固定枠が当接されているので、トップライトの面方向における位置決めと、トップライトの面方向と交差する方向に位置決めとを容易かつ確実に行える。
【００３０】
請求項４に記載の発明によれば、面材固定枠が取付枠の上端面に固定金具を介して固定されているので、トップライトを容易かつ確実に取付枠に取付けることができる。
【００３１】
請求項５に記載の発明によれば、間仕切壁の表面と、導入筒の一つの内面とが面一になっているので、間仕切壁を基準として導入筒の位置決めを容易にでき、この導入筒によって、トップライトの位置決めを容易に行える。
また、間仕切壁の表面からトップライトまで導入筒の内面が真直ぐに立ち上がり、段が生じないので、トップライトから光を直線的に容易に採光できるとともに、部屋等の空間からトップライトを見上げた際の見映えもよい。
【図面の簡単な説明】
【図１】本発明のトップライトの取付構造の一例を示すもので、その側断面図である。
【図２】図１におけるＡ円部の拡大図である。
【図３】図１におけるＢ円部の拡大図である。
【図４】本発明のトップライトの取付構造の一例を示すもので、その正断面図である。
【図５】図４におけるＣ円部の拡大図である。
【符号の説明】
１  フラット屋根
２  取付枠
１０  トップライト
１１  透光面材
１２  面材固定枠
１５  導入筒
１６  天井
１８  固定金具
２０  間仕切壁
【図１】
2004332433.tif 000003
【図２】
2004332433.tif 000004
【図３】
2004332433.tif 000005
【図４】
2004332433.tif 000006
【図５】
2004332433.tif 000007